(57)【要約】【課題】  多数の楽曲があっても、あるいは曲名がわからなくてもリスナのそのときの気分や雰囲気に最適な楽曲を選択して再生できるようにする。【解決手段】  ハードディスク装置２０には、楽曲のファイルと、その楽曲の内容を表現する主観的データとを用意する。ハードディスク装置２０から楽曲および主観的データを再生する再生手段２１、１４と、ユーザが主観的データを入力するための入力手段３４とを設ける。再生手段２１、１４により再生された主観的データと、入力手段３４により入力された主観的データとにより、楽曲を検索する検索手段１５を設ける。【選択図】  図４
2006127694.tif 000002
【特許請求の範囲】
【請求項１】
所定のコンテンツデータと、
このコンテンツデータの内容を表現する主観的データと
を記録した記録媒体。
【請求項２】
請求項１に記載の記録媒体において、
上記コンテンツデータが、オーディオ、画像あるいは映像のデータである
ようにした記録媒体。
【請求項３】
請求項１に記載の記録媒体において、
上記主観的データが、明るい・暗い・元気が出る・しっとりしたなどの印象を表現する語句のデータである
ようにした記録媒体。
【請求項４】
請求項１に記載の記録媒体において、
上記主観的データが、山で聴きたい・海で聴きたい・恋人と見たい・家族と見たいなどの情景を表現する語句のデータである
ようにした記録媒体。
【請求項５】
請求項１に記載の記録媒体において、
上記主観的データが、ユーザにより追加、変更あるいは生成されるデータである
ようにした記録媒体。
【請求項６】
請求項１に記載の記録媒体において、
上記主観的データは、上記コンテンツデータの１つに対して１つあるいは複数が記録されている
ようにした記録媒体。
【請求項７】
請求項１に記載の記録媒体において、
光ディスク、ハードディスク、半導体メモリ、磁気テープ、あるいはネットワーク上のサーバである
ようにした記録媒体。
【請求項８】
所定のコンテンツデータと、このコンテンツデータの内容を表現する主観的データと、上記コンテンツデータおよび上記主観的データを関連付けするタグとを、所定の記録媒体に記録する記録手段
を有する記録装置。
【請求項９】
所定のコンテンツデータと、このコンテンツデータの内容を表現する主観的データと、上記コンテンツデータおよび上記主観的データを関連付けするタグとを、所定の記録媒体に記録する
ようにした記録方法。
【請求項１０】
所定のコンテンツデータと、このコンテンツデータの内容を表現する主観的データとが記録された記録媒体から上記コンテンツデータおよび上記主観的データを再生する再生手段と、
ユーザが主観的データを入力するための入力手段と、
上記再生手段により再生された主観的データおよび上記入力手段により入力された主観的データにより、上記コンテンツデータを検索する検索手段と
を有するデータ検索装置。
【請求項１１】
所定のコンテンツデータと、このコンテンツデータの内容を表現する主観的データとが記録された記録媒体から上記主観的データを再生する第１のステップと、
ユーザが入力する主観的データを受け付ける第２のステップと、
上記第１のステップにより再生された主観的データおよび上記第２のステップにより入力された主観的データにより、上記コンテンツデータを検索する第３のステップと
を有するデータ検索方法。
【請求項１２】
コンテンツデータの内容を表現する主観的データが格納されたデータベースと、
上記主観的データを入力するための入力手段と、
この入力手段により入力した主観的データを統計処理する処理手段と、
この処理手段により処理された主観的データにより上記データベースを更新する更新手段と
を有するデータ生成装置。
【発明の詳細な説明】
【技術分野】
【０００１】
この発明は、記録媒体、記録装置、記録方法、データ検索装置、データ検索方法およびデータ生成装置に関する。
【背景技術】
【０００２】
ハードディスク装置は、ＣＤ−ＲＯＭやメモリカードなどに比べると、容量がきわめて大きい。また、楽曲のデジタルオーディオ信号をデータ圧縮する技術としてＭＰ３などがあるが、これはもとのデジタルオーディオ信号のデータ量を1/10以下に圧縮することができる。
【０００３】
このため、楽曲のデータを圧縮して記録・保存する場合、その記録媒体としてハードディスク装置を使用すると、多数の楽曲を保存することができる。例えば、ハードディスク装置の容量が100GBの場合、１曲の長さを３分とすると、約3700曲を無圧縮で保存すことができ、データ圧縮をすれば、約３万7000曲を保存することができる。
【０００４】
なお、先行技術文献として例えば以下のものがある。
【特許文献１】特開２００４−１３６５３号公報
【特許文献２】特開２００４−４６５７５号公報
【発明の開示】
【発明が解決しようとする課題】
【０００５】
ところが、上記のように１つの記録媒体に数千曲、数万曲の楽曲を保存すると、その中からそのときの気分や雰囲気に適した楽曲を選ぶことが困難になってしまう。例えば、明るい楽曲を聴きたいと思ったときには、明るい楽曲の曲名を思い出し、その思い出した曲名により該当する楽曲を検索して再生することになるが、この方法では、思い出せる曲名の数に限度があり、該当する楽曲がたくさんあっても、数曲しか聴けないことがある。また、曲名を正しく憶えていないと、そのときの気分に適さない楽曲を再生してしまうこともある。
【０００６】
この発明は、以上のような問題点を解決しようとするものである。
【課題を解決するための手段】
【０００７】
この発明においては、
所定のコンテンツデータと、このコンテンツデータの内容を表現する主観的データとが記録された記録媒体から上記コンテンツデータおよび上記主観的データを再生する再生手段と、
ユーザが主観的データを入力するための入力手段と、
上記再生手段により再生された主観的データおよび上記入力手段により入力された主観的データにより、上記コンテンツデータを検索する検索手段と
を有するデータ検索装置
とするものである。
【発明の効果】
【０００８】
この発明によれば、リスナ（ユーザ）が主観的データを入力すると、リスナのそのときの気分や雰囲気に適した楽曲が選択されて再生される。そして、その場合、リスナは楽曲の曲名を思い出す必要がないので、該当する楽曲の曲名がわからなくても、あるいは該当する楽曲が多数あっても、そのときの気分や雰囲気に合った楽曲を聴くことができる。
【発明を実施するための最良の形態】
【０００９】
〔１〕  記録媒体における記録形態
図１は、記録媒体としてハードディスク装置を使用した場合における記録形態の一例を示す。すなわち、図１Ａに示すように、ハードディスク装置のユーザエリアUSRAには、複数の楽曲１〜Ｎのデジタルオーディオデータが、ファイル１〜Ｎとして記録される。この場合、ファイル１〜Ｎにおけるデジタルオーディオデータは、例えばＭＰ３フォーマットでデータ圧縮されている。なお、符号adr1〜adrNは、ファイル１〜Ｎが記録されているクラスタの開始アドレス（クラスタ番号）である。
【００１０】
また、ハードディスク装置には、例えば図１Ｂに示すような曲名テーブルTTBLが設けられる。この曲名テーブルTTBLは、ユーザエリアUSRAに記録されている楽曲１〜Ｎの曲名ttl1〜ttlNと、ユーザエリアUSRAにおけるファイル１〜Ｎの開始アドレスadr1〜adrNとの対応表である。
【００１１】
さらに、ハードディスク装置には、例えば図１Ｃに示すような主観的データテーブルSBJTが設けられる。この主観的データテーブルSBJTは、主観的データと、タグ（リンクポインタ）との対応表であり、テーブルSBJTの１行（１組）がユーザエリアUSRAに記録されている楽曲の１曲に対応する。
【００１２】
そして、主観的データは、「印象表現語」と「情景表現語」とを有する。ここで、印象表現語は、明るい・さわやか・しっとりした・元気が出るなどのように、楽曲を聴取したときに受ける印象を示す語句、あるいは明るくなりたい・さわやかになりたい・元気なりたいなどのように、楽曲を聴取したときに受けたい印象を示す語句である。そして、印象表現語のセルには、対応する楽曲についての印象表現語の１つあるいは複数が用意される。
【００１３】
また、情景表現語は、野山で聴きたい・恋人と聴きたい・一人で聴きたい・朝に聴きたい・夏に聴きたい・フォーマルな気分で聴きたいなどのように、楽曲を聴取するときの情景や状態を示す語句である。そして、情景表現語のセルには、対応する楽曲についての情景表現語の１つあるいは複数が用意される。
【００１４】
さらに、タグは、テーブルSBJTの主観的データと、ユーザエリアUSRAの楽曲のファイルとを関連付けするためのものであり、この例においては、ユーザエリアUSRAにおける対応するファイル１〜Ｎの開始アドレスadr1〜adrNである。
【００１５】
したがって、ユーザエリアUSRAにおける楽曲と、曲名テーブルTTBLにおける曲名と、主観的データテーブルSBJTにおける主観的データとは、開始アドレスを通じて関連付けされていることになる。例えば、図１の場合、楽曲１（ファイル１）は、開始アドレスadr1により、曲名テーブルTTBLの第１行の曲名ttl1と、主観的データテーブルSBJTの第１行の主観的データ「明るい・……」、「野山で・……」と関連付けされていることになる。
【００１６】
なお、楽曲に対する主観的データは、レーベル会社が複数のリスナにアンケート調査を行うことにより得ることができる。そして、レーベル会社は、楽曲のＣＤを販売するとき、例えば図２に示すように、そのＣＤをCD Extra形式とするとともに、その第１セッションに楽曲を収容し、第２セッションに曲名および主観的データを収容すればよい。あるいは、曲名および主観的データを、ＣＤのＴＯＣに含ませたり、フリンジデータの一部としてＣＤテキストのテキスト部に含ませることもできる。
【００１７】
そのようにすれば、ＣＤの楽曲、曲名および主観的データを上述のハードディスク装置に移して利用することができ、あるいはＣＤ単体を上述したハードディスク装置と同様に扱うこともできる。
【００１８】
さらに、すでに楽曲を購入したリスナには、曲名および主観的データを組にして、インターネットやホームページを通じて配布することもできる。
【００１９】
〔２〕  記録装置
図３は記録装置の一例を示し、この例においては、記録媒体が図１により説明したハードディスク装置の場合である。すなわち、楽曲のデジタルオーディオデータが入力端子１１Ａを通じてＭＰ３エンコーダ１２に供給され、ＭＰ３形式のデジタルデータにエンコードされる。そして、このエンコード出力が、マルチプレックサ１３を通じてハードディスクコントローラ１４に供給され、記録用のエラー訂正処理および変調処理が行われてからハードディスク装置２０の磁気ヘッド部２１に供給される。
【００２０】
また、ハードディスク装置２０におけるデータの記録・再生を管理および制御するため、制御回路１５が例えばマイクロコンピュータにより構成され、この制御回路１５からハードディスクコントローラ１５を通じて磁気ヘッド部２１にそのシーク位置を指示する制御信号が供給される。こうして、エンコーダ１２のエンコード出力は、ハードディスク装置２０のディスク本体２２におけるユーザエリアUSRAにファイルとして記録される。
【００２１】
さらに、その楽曲の曲名のデータが入力端子１１Ｔを通じてマルチプレックサ１３に供給されるとともに、その楽曲がディスク本体２２に記録されたときの記録開始アドレスが制御回路１５からマルチプレックサ１３に供給されて曲名のデータと開始アドレスとが１組のデータとされる。そして、この１組のデータが、ハードディスクコントローラ１４に供給され、磁気ヘッド部２１によりディスク本体２２の曲名テーブルTTBLに記録される。
【００２２】
また、このときの楽曲の主観的データが、入力端子１１Ｓからマルチプレックサ１３を通じてハードディスクコントローラ１４に供給されるとともに、その楽曲がディスク本体２２に記録されたときの記録開始アドレスが制御回路１５からハードディスクコントローラ１４に供給されて主観的データと開始アドレスとが１組のデータとされる。そして、この１組のデータが、ハードディスクコントローラ１４に供給され、磁気ヘッド部２１により、ディスク本体２２の主観的データテーブルSBJTに記録される。
【００２３】
こうして、図１に示すように、ハードディスク装置２０には、楽曲、曲名および主観的データの１組が、開始アドレスにより関連付けされた状態で記録される。
【００２４】
なお、記録媒体がＣＤ−Ｒなどの場合にも同様の記録装置とすることができる。あるいは主観的データテーブルSBJTをCD Extraのフォーマットで記録することもできる。
【００２５】
〔３〕  再生装置
図４は、上述の記録装置に対応する再生装置の一例を示す。すなわち、楽曲の再生時には、ディスク本体２２に記録されている楽曲のファイルのうち、目的とする楽曲のファイルが後述する方法により選択され、この選択されたファイルが磁気ヘッド部２１によりユーザエリアUSRAから再生される。
【００２６】
この再生されたファイルのデータがハードディスクコントローラ１４に供給され、再生用の復調処理およびエラー訂正処理が行われてからＭＰ３デコーダ３１に供給されてもとのデジタルオーディオデータおよびフリンジデータにデコードされる。そして、そのデコードされたデジタルオーディオデータが、Ｄ／Ａコンバータ３２に供給されてアナログのオーディオ信号Ｌ、ＲにＤ／Ａ変換され、このオーディオ信号Ｌ、Ｒが出力端子３３Ｌ、３３Ｒに取り出される。
【００２７】
そして、この場合、ハードディスク装置２０に記録されている楽曲の選曲および再生は、制御回路１５において、例えば図５に示す再生ルーチン１００が実行されて実現される。すなわち、操作キー３４により再生を指示すると、制御回路１５の処理がルーチン１００のステップ１０１からスタートし、次にステップ１０２において、主観的データの入力モードとなる。
【００２８】
この主観的データの入力モードでは、リスナが印象表現語および情景表現語を入力するものである。すなわち、制御回路１５から表示制御回路３５に所定の表示データが供給されて表示デバイス３６には、まず、各種の印象表現語が表示される。そこで、その表示された印象表現語のうち、楽曲を聴取したときに受けたい印象を示す語句を選択する。例えば、明るい楽曲を聴きたい、あるいは楽曲を聴いて明るくなりたいとすれば、印象表現語として、「明るい、さわやか、しっとりした、元気が出る、・・・」が表示されたとき、「明るい」を選択する。
【００２９】
すると、続いて表示デバイス３６には、各種の情景表現語が表示される。そこで、その表示された情景表現語のうち、どのような環境あるいは状態で楽曲を聴取したいかを示す語を選択する。例えば、野山で聴きたいとすれば、各種の情景表現語が表示されたとき、「野山で」を選択する。
【００３０】
そして、以上の選択を行うと、これで主観的データの入力を終了し、処理はステップ１０３に進む。このステップ１０３においては、ステップ１０２により入力された語句を検索語として主観的データテーブルSBJTが検索され、選択された語句に対応するタグ（開始アドレス）が取り出される。なお、複数のタグが対応している場合には、それらのすべてのタグが取り出される。
【００３１】
続いて、ステップ１０４において、ステップ１０３により取り出されたタグを検索語として曲名テーブルTTBLが検索され、取り出されたタグに対応する曲名のデータが取り出され、この取り出された曲名のデータが表示制御回路３５に供給される。こうして、表示デバイス３６には、選択した印象表現語および情景表現語に対応する楽曲の曲名が一覧表示される。
【００３２】
続いて、処理はステップ１０５においてキー入力待ちとなり、操作キー３４により曲名を指定すると、ステップ１０６において、ステップ１０５により指定した曲名のデータにより曲名テーブルTTBLが検索されて、対応する開始アドレスが取り出される。そして、次にステップ１０６において、ユーザエリアUSRAのファイル１〜Ｎのうち、ステップ１０６により取得された開始アドレスにより指定されるファイルが選択されて再生され、上述のようにそのオーディオ信号Ｌ、Ｒが端子３３Ｌ、３３Ｒに取り出される。なお、ルーチン１００はステップ１０８で終了する。
【００３３】
こうして、ルーチン１００によれば、リスナが主観的データ、すなわち、楽曲を聴取したときに受ける印象や受けたい印象を示す語句（印象表現語）および楽曲を聴取するときの情景や状態を示す語句（情景表現語）を入力すると、その語句の印象や情景・状態を満たす楽曲を再生することができる。
【００３４】
したがって、リスナは、そのときの気分や雰囲気に適した楽曲を選択して聴取することができる。例えば、明るい楽曲を聴きたいと思ったとき、そのような楽曲を聴くことができる。そして、そのとき、リスナは明るい楽曲の曲名を思い出す必要がないので、該当する楽曲の曲名がわからなくても、あるいは該当する楽曲が多数あっても、そのときの気分に合った楽曲を聴くことができる。
【００３５】
〔４〕  データベースサーバ（その１）
図６は、データベースサーバ４０に、楽曲および主観的データテーブルSBJTを収容し、これをネットワークを通じて利用する場合の一例を示す。すなわち、この例においては、データベースサーバ４０に２つのハードディスク装置４１、４２が設けられる。そして、ハードディスク装置４１には、楽曲１〜Ｎのファイルがデータベース４１Ａとして蓄積されるとともに、その楽曲１〜Ｎについて、曲名テーブルTTBLに対応する曲名データベース４１Ｔが設けられる。
【００３６】
また、ハードディスク４２には、データベース４１Ａに蓄積されている楽曲１〜Ｎについて、主観的データテーブルSBJTに対応する主観的データデータベース４２Ｓが設けられる。なお、この場合も、曲名データベース４１Ｔおよび主観的データデータベース４２Ｓにおけるタグは、データベース４１Ａの対応する楽曲を指定するデータ、例えば楽曲のファイルの開始アドレスとされる。
【００３７】
そして、再生装置５０Ａ〜５０Ｍのそれぞれが、〔３〕で説明した再生装置と同様に構成されるとともに、ネットワーク６０を通じてサーバ４０に接続される。
【００３８】
したがって、再生装置５０Ａ〜５０Ｍのそれぞれとサーバ４０との間でルーチン１００と同様の処理を実行することにより、リスナのそのときの気分にあった楽曲を選択して再生することができる。
【００３９】
〔５〕  主観的データの更新
図７は、データベースサーバ４０の主観的データデータベース４２Ｓの主観的データを追加あるいは変更する場合の処理手順を示す。すなわち、この場合には、ステップ２０１として示すように、主観的データの追加あるいは変更の対象となる楽曲のファイルを選択し、次にステップ２０２として示すように、ステップ２０１により選択した楽曲についての主観的データを入力する。
【００４０】
続いて、ステップ２０３として示すように、ステップ２０２により入力した主観的データにより、主観的データデータベース４２Ｓの対応する主観的データを更新する。なお、この更新をする場合、例えば複数のリスナの多数決によりラベリングすることができる。
【００４１】
このようにすれば、多数のリスナが参加することにより、主観的データは統計的な意味を持つようになり、より適切な選曲ができる。
【００４２】
また、〔３〕で説明した再生装置の主観的データテーブルSBJTに対して同様の処理を行えば、その主観的データを自分なりのものとすることができる。
【００４３】
〔６〕  データベースサーバ（その２）
上述のように、楽曲のデジタルオーディオデータをデータ圧縮した場合、その容量は無圧縮の場合の1/10以下にすることができるので、１曲の長さを３分とすると、１枚のＣＤには、データ圧縮した楽曲を約240曲保存することができる。また、ＤＶＤであれば、さらに多くの楽曲を保存することができる。
【００４４】
そこで、図８に示す例においては、楽曲は専用プレーヤ７０によりＣＤ（あるいはＤＶＤ）７１から再生するとともに、データベースサーバ４０には、主観的データデータベース４２Ｓだけを設けた場合である。なお、主観的データデータベース４２Ｓにおける主観的データおよびタグの組は、複数のＣＤの楽曲に対応するものとされる。また、タグは、例えばＣＤのＣＤ番号およびトラック番号とされる。
【００４５】
そして、この例の場合には、例えば図９に操作および処理の手順を示すように、ステップ３０１として示すように、まず、プレーヤ７０にＣＤ７１をセットする。すると、ＣＤ７１からＣＤ番号のデータが再生され、サーバ３０１に送られる。
【００４６】
続いて、ステップ３０２として示すように、プレーヤ７０のキーを操作して主観的データを入力する。すると、ステップ３０３として示すように、ステップ３０２により入力したデータを検索語として、サーバ４０の主観的データデータベース４２Ｓが検索され、対応するタグ、今の場合には、ＣＤ番号およびトラック番号が取り出される。
【００４７】
そして、ステップ３０４として示すように、ステップ３０３により取り出されたＣＤ番号およびトラック番号うち、プレーヤ７０にセットしたＣＤ７１のＣＤ番号に含まれるトラック番号が選択され、この選択されたトラック番号がプレーヤ７０に送られる。この結果、ステップ３０５として示すように、プレーヤ７０において、ステップ３０４により選択されて送られてきたトラック番号の楽曲が再生される。
【００４８】
〔７〕  主観的データの交換システム
図１０は、複数のリスナの間で、主観的データを交換できるようにした場合である。すなわち、サーバ４０および再生装置５０Ａ〜５０Ｍがインターネット６０に接続されるとともに、サーバ４０が例えばレーベル会社により提供される。この場合、レーベル会社は、主観的データのサービスプロバイダとして機能するものであり、各種の分類可能な主観的データを提供する。
【００４９】
したがって、リスナは、インターネット６０を通じてレーベル会社のサーバ４０からデフォルトの主観的データの配布を受けることができるとともに、他のリスナとの間でインターネット４０を通じてＰ２Ｐで主観的データを交換することができる。
【００５０】
また、レーベル会社は、リスナそれぞれの主観的データを分析することにより楽曲、すなわち、コンテンツにアクティブにかかわることができる。
【００５１】
〔８〕  その他
上述において、ユーザエリアUSRAにおける楽曲のファイルのデータに、曲名や演奏者などのフリンジ情報を含ませておき、再生時、そのフリンジ情報により曲名や演奏者などを表示することもできる。
【００５２】
さらに、上述においては、印象表現語および情景表現語をあらかじめ用意しておき、選曲時、その中から聴取したい楽曲のイメージにあった語句を選択する場合であるが、リスナが聴取したい楽曲のイメージにあった語句を直接入力し、その語句に対応する楽曲を選曲することもできる。そして、その場合には、同義語辞書を用意しておき、リスナの入力した語句を同義語辞書によりデフォルトの語句に変換することもできる。
【００５３】
また、主観的データテーブルSBJTの主観的データには、楽曲が対象とするリスナの性別、年齢、職業、地域などのデータを付加することもできる。さらに、リスナが主観的データを変更あるいは追加できるようにしてもよい。また、ユーザエリアUSRAにおける楽曲のファイルと、主観的データテーブルSBJTの主観的データとをリンクさせるタグは、ファイル名などとすることもできる。
【００５４】
さらに、ルーチン１００のステップ１０３において、複数の楽曲（複数のタグ）が検索された場合には、以後、リスナが楽曲を指定しなくても、その複数の楽曲を例えばランダムに再生してもよい。また、記録媒体もＤＶＤ−Ｒ、ブルーレイディスク、半導体メモリ、磁気テープなどとすることもできる。さらに、CD Extraのように、楽曲のデータと、フリンジ情報とが記録される場合には、曲名テーブルTTBLあるいは曲名データベース４２Ｔは不要である。
【００５５】
また、上述においては、再生の対象となるコンテンツが楽曲（オーディオ信号）の場合であるが、画像（写真、ＣＧ）、映像（ビデオ、アニメーション）、ゲームなどを再生の対象のコンテンツとすることもできる。さらに、図１０のシステムにおいて、必要なら主観的データをメモリカードなどに納め、リスナ間で直接交換することもできる。
【００５６】
〔略語の一覧〕
ＣＤ        ：Compact Disc
ＣＤ−ＲＯＭ：CD Read Only Memory
ＣＧ        ：Computer Graphics
Ｄ／Ａ      ：Digital to Analog
ＤＶＤ−Ｒ  ：DVD Recordable
ＭＰ３      ：MPEG-1/Audio Layer 3
ＭＰＥＧ    ：Motion Picture Experts Group
Ｐ２Ｐ      ：Peer to Peer
ＴＯＣ      ：Table Of Contents
【図面の簡単な説明】
【００５７】
【図１】この発明における記録形態の一例を示す図である。
【図２】この発明における記録形態の他の例を示す図である。
【図３】この発明による記録装置の一例を示す系統図である。
【図４】この発明による再生装置の一例を示す系統図である。
【図５】この発明による再生方法の一例を示す系統図である。
【図６】この発明によるサーバシステムの一例を示す系統図である。
【図７】この発明によるデータ更新手順の一例を示すフローチャートである。
【図８】この発明によるサーバシステムの他の例を示す系統図である。
【図９】この発明による再生手順の一例を示すフローチャートである。
【図１０】この発明によるサーバシステムの他の例を示す系統図である。
【符号の説明】
【００５８】
１２…ＭＰ３エンコーダ、１３…マルチプレックサ、１４…ハードディスクコントローラ、１５…制御回路、２０…ハードディスク装置、２１…磁気ヘッド部、２２…ハードディスク本体、３１…ＭＰ３デコーダ、３２…Ｄ／Ａコンバータ、３４操作キー、３５…表示デバイス、４０…データベースサーバ、SBJT…主観的データベーステーブル、TTBL…曲名テーブル、USRA…ユーザエリア
【図１】
2006127694.tif 000003
【図２】
2006127694.tif 000004
【図３】
2006127694.tif 000005
【図４】
2006127694.tif 000006
【図５】
2006127694.tif 000007
【図６】
2006127694.tif 000008
【図７】
2006127694.tif 000009
【図８】
2006127694.tif 000010
【図９】
2006127694.tif 000011
【図１０】
2006127694.tif 000012